(57)【要約】  製品（３）を収集するためのリザーバ（２）及び分配装置（４）付き容器（１）であって、この容器は、流動性のある薬剤、特に液体（８）に溶解及び／又は分散されている粉末又は粒状の製品（３）を分配するための開口部（５）を備え、リザーバ（２）には分配装置が接続され、通路（１０）を有する装置（７）は、製品（３）の過度に大きい粒子を引き止めるために使用されて、完全に溶解していない製品（３）及び／又は過度に大きい粒子及び／又はよく分散していない粒子が、分配装置（４）の開口部（５）に届くことができないようにし、したがって開口部（５）を閉鎖することができないようにする、装置。開口部を閉鎖から確実に保護するために、通路（１０）の直径（１１）又は最小幅（１２）が、０．５ｍｍ〜５ｍｍであり、若しくは開口部５の直径（１３）又は最小幅以下であることが提案される（図７）。
2011518077.tif 000002
【特許請求の範囲】
【請求項１】
製品（３）を収集するためのリザーバ（２）付き容器（１）であって、
前記リザーバ（２）には分配装置（４）が接続され、
前記分配装置（４）は、
流動性のある薬剤、特に液体（８）に溶解及び／又は分散されるべき粉末又は粒状の前記製品（３）を分配するための開口部（５）と、
前記容器（１）と前記分配装置（４）との間の接続部（６）と、
過度に大きい粒子及び／又はよく分散していない前記製品（３）の粒子の塊を引き止める装置（７）であって、これらの粒子が前記分配装置（４）の前記開口部（５）に届くことができないようにすると共に、前記開口部（５）が詰まることができないようにする装置（７）と
を備え、
前記装置（７）は、取付台（９）を使用して前記リザーバ（２）と前記分配装置（４）との間の位置に固定され、前記装置（７）は、小粒子、又は既に部分的に溶解された製品若しくはよく分散された前記製品（３）が前記開口部（５）まで通ることができるようにする多くの通路（１９）を有し、
前記容器（１）は、前記通路（１０）の直径（１１）又は最小幅（１２）が０．５ｍｍ〜５ｍｍであり、かつ前記開口部（５）の直径（１３）又は最小幅以下であることを特徴とする容器。
【請求項２】
前記分配装置（４）が、前記容器（１）に取り付ける又はねじ留めすることができる注ぎ口（１４）を有することを特徴とする、請求項１に記載の容器。
【請求項３】
前記装置（７）が、前記容器（１）と前記分配装置（４）の取り付けリング（１６）との間の接続部（６）で取り付けられていることを特徴とする、請求項１又は２に記載の容器。
【請求項４】
前記装置（７）の周囲接続領域（２３）が、前記取り付けリング（１６）と容器の首部（１８）の上端部（１７）との間に固定されていることを特徴とする、請求項３に記載の容器。
【請求項５】
前記装置（７）の好ましくは円形である中心部（１９）に、前記通路（１０）がないことを特徴とする、請求項１〜４のいずれか一項に記載の容器。
【請求項６】
前記装置（７）には凹部（２０）が設けられており、好ましくは、該凹部（２０）は前記リザーバ（２）に向けて下方に延びることを特徴とする、請求項１〜５のいずれか一項に記載の容器。
【請求項７】
前記凹部（２０）が、周辺側部（２２）及び環状接続領域（２３）によって前記装置（７）の縁部に接続されたプラットホーム（２１）を形成することを特徴とする、請求項６に記載の容器。
【請求項８】
特定の直径（１１）の円形の通路（１０）と、特定の長さ（２４）及び特定の幅（１２）のスロット形状の通路（１０）とが、前記装置（７）内で凹んでいることを特徴とする、請求項１〜７のいずれか一項に記載の容器。
【請求項９】
スロット形状の通路（１０）のみが、前記周辺側部（２２）に設けられていることを特徴とする、請求項８に記載の容器。
【請求項１０】
前記装置（７）が、３〜１５０個、好ましくは５〜１００個、より好ましくは１０〜７５個の前記通路（１９）を含む、請求項１〜９のいずれか一項に記載の容器。
【請求項１１】
前記通路（１９）が、１．０〜４．０ｍｍ、より好ましくは１．２〜３．５ｍｍの直径又は最小幅を有する、請求項１〜１０のいずれか一項に記載の容器。
【請求項１２】
前記通路の少なくとも８０％が１．２ｍｍ〜３．５ｍｍの直径又は最小幅を有する、請求項１１に記載の容器。
【請求項１３】
請求項１〜１１のいずれか一項に記載の少なくとも１つの容器（１）と、
ヘアトリートメント組成物である少なくとも１つの製品（３）と
を備える、毛髪束効果を作り出すためのキット（２６）であって、
前記ヘアトリートメント組成物が、
ハイライト用組成物、染色用組成物、スタイリング用組成物、パーマ用組成物及びこれらの組み合わせからなる群から選択され、
好ましくは、ハイライト用組成物、染色用組成物及びこれらの組み合わせからなる群から選択され、
より好ましくはハイライト用組成物である、キット。
【請求項１４】
前記キット（２６）が、毛髪束（１１）をマーキングし残りの毛髪から分離するための１つ以上のマーキングツール（２８、２９）を更に含む、請求項１３に記載のキット。
【請求項１５】
前記キット（２６）が、前記ヘアトリートメント組成物を前記毛髪に塗布するためのアプリケータ（２７）を更に含み、該アプリケータ（２７）が、くし型アプリケータ、ブラシ型アプリケータ、棒状アプリケータ、２部品が可動に接合されたアプリケータ及びこれらの組み合わせからなる群から選択され、
好ましくは、前記アプリケータは、２部品が可動に接合されたアプリケータである、請求項１３又は１４に記載のキット（２６）。
【発明の詳細な説明】
【技術分野】
【０００１】
本発明の目的は、製品を収集、混合、溶解及び／又は分散するための容器、並びに容器に付いている分配装置の開口部が詰まらないようにする装置でその流動性の内容物を分配することに関するものである。
【背景技術】
【０００２】
粉末が液体に溶解又は分散される時に塊ができることがあることは既知である。開口部が比較的に狭い場合、液体内の溶解されていない粉末の粒子及び／又はうまく分散されていない粉末の粒子の塊は、分配装置を詰まらせることがある。用途によっては、開口部からの抑制された分配が望まれるため、抑制できない分配を防ぐために断面積が小さい開口部が使用される。
【０００３】
混合プロセス中に塊が形成する問題は、粉末材料を液体に溶解及び／又は分散させる時に限らず起こり得る。粒状の材料を液体に溶解及び／又は分散させる時、２つの液体を混合する時、又は糊状の塊を液体に混合する時にも起こり得る。不均質性は、不均質な流動性の塊が他の流動性の塊と混合させられたものに起こることがあり、このような不均質性は、粘度が高いため、溶解されていない又はうまく分散されていない固体粒子と同様に狭い開口部を詰まらせることがある。
【０００４】
塊が形成する問題は特に、液体を粉末の材料及び／又は粒状の材料及び／又は糊状の材料と混合することによって作られる毛髪組成物、例えば毛髪脱色組成物によくある。このような組成物は一般的に粉末、粒状又は糊状物質の形態の漂白活性化剤を含み、それを過酸化水素含有配合物と混合させる。漂白活性化剤は、少なくとも１つの過硫酸塩と共に少なくとも１つの固体緩衝剤を含有し、その例としてはケイ酸ナトリウム又はメタケイ酸ナトリウムが例として挙げられるが、これらに限定されない。これらの主要粒子は、一般的に１００マイクロメートル程度の大きさを持つ。混合直後には、ほんの少量の漂白活性化剤が溶解すると同時に、大半は過酸化水素配合物内に分散される。不溶解の過硫酸塩及び固体緩衝剤は、容易に共に凝集して塊となり開口部を閉鎖し得る。容易に溶解されない大粒子と、抑制できない分配を防ぐための断面積が小さい開口部を使用した抑制された分配の必要性との組み合わせは、このような毛髪組成物に関する開口部の詰まりの可能性を有意にする。それに加えて、毛髪脱色組成物には、第２の問題が起こり得る。過酸化水素を含有する混合製品のｐＨは一般的に少なくとも８であり、より好ましくは少なくとも９であり、更により好ましくは１０〜１１である。理論に縛られることを望まないが、この高まったｐＨは過酸化水素の分解を促進させると思われる。このような促進された過酸化水素の分解の１つの結果は、混合ハイライト組成物が比較的短期間で大量のガスを放出することである。狭い開口部を詰まらせ得る塊と、製品による急速なガスの発生との組み合わせは、容器内の圧力の上昇につながり得る。この詰まりは、容器内の圧力が臨界値を超えた時に除去され、これにより、塊は狭い開口部から放出される。これにより、容器がこのような毛髪組成物を扱うことが危険になる。
【０００５】
独国特許公開第７６３９１７７号及び独国特許公開第２９９１７０５４（Ｕ１）号は、乳児用粉ミルク用のおしゃぶり付き哺乳瓶内の粒子を引き止めるための、ふるいのような装置及びスプリングボールタイプの装置を開示している。乳児用粉ミルクは、微細な小粒径の溶解性粉末ミルクを温水で溶解することによって作られる。国際公開第９８／１６４３８号は、繊維に適用する前に水と予混合させた不溶解の洗剤組成物を留まらせるための微細格子を開示している。
【０００６】
これらの文献は、リザーバに接続された分配装置を有する、製品を収集するための容器を開示しており、この分配装置は、流動性のある薬剤、特に液体に溶解されるべき粉末又は粒状の製品を分配するための開口部と、分配装置と容器との間の接続部と、分配装置の開口部が詰まることができないように過度に大きい粒子又は不溶解の製品を引き止める装置とを有し、この装置は、取付台を使用してリザーバと分配装置との間の位置に固定され、この装置は、十分な小粒子及び／又は少なくともいくらかの溶解された製品が開口部まで通ることができるようにする多くの通路を有する。
【０００７】
既知の容器は、通路の直径が、保護されるべき開口部よりも、有意に大きいあるいは有意に小さいため、不都合である。これらのアプローチでは、開口部は、液体と粉末／粒状／糊状の材料とを共に混合して作られる、毛髪脱色組成物などの毛髪組成物で使用される時に、詰まりを確実に防止できない。分散された粒塊は、装置の大きな通路を通過し開口部を詰まらせるか、又は狭い通路を詰まらせて開口部からの製品の分配を妨げるか、又は装置に粒子を留まらせることによって、混合組成物の特質を希望するものから変えてしまう。
【先行技術文献】
【特許文献】
【０００８】
【特許文献１】独国特許公開第７６３９１７７号
【特許文献２】独国特許公開第２９９１７０５４（Ｕ１）号
【特許文献３】国際公開第９８／１６４３８号
【発明の概要】
【発明が解決しようとする課題】
【０００９】
したがって、本発明は上述のタイプの容器の開口部を、確実な方法で、組成物を続けて分配できるようにしながら詰まりを防ぐことを目的とする。
【課題を解決するための手段】
【００１０】
本目的は、請求項１の特徴部分によって達成される。したがって、通路の直径又は最小幅は、開口部の直径又は最小幅以下である。
【図面の簡単な説明】
【００１１】
提案されている容器は、以下に代表的な実施形態を表す図によって更に詳しく説明されている。
【００１２】
次のものが図示されている。
【図１】既知の技術の、分配される薬剤を適用するための開口部を有する別個の分配装置を有する容器を表す部分的な垂直断面を含む側面図。
【図２】分配装置が取り付けられた図１の容器を表す部分的な垂直断面を含む側面図。
【図３】よく分散されていない粒子状物質の大きな粒子又は塊を引き止めるための装置が分配装置に挿入されている図１の容器を表す部分的な垂直断面を含む側面図。
【図４】分配装置が取り付けられた図３の容器を表す部分的な垂直断面を含む側面図。
【図５】別の代表的な実施形態における、容器の首部に取り付けることができる装置を有する容器を表す部分的な垂直断面を含む側面図。
【図６】分配装置がねじ留めされている図５の容器を表す部分的な垂直断面を含む側面図。
【図７】容器を振ることによって混合されるプロセス中に粒状の製品が上方に押される、液体が充填され粒状の製品が入れられた図４で表されている容器を表す部分的な垂直断面を含む側面図。
【図８】凹部から中心部が閉じているプラットホームと、開口部の直径又は最小幅以下である多様な直径の通路とを有する、よく分散されていない粒子状物質の粒子又は塊を引き止めるための装置を表す上面図。
【図９】プラットホームの周辺側部に６つのスロット形状の通路を有する装置を表す上面図。
【図１０】図９の装置と似ているが、スロット形状の通路が４つしかない装置を表す上面図。
【図１１】図１０の装置の垂直断面図。
【図１２】２種類の直径の通路を有する平らな装置を表す上面図。
【図１３】図１２の装置と似ているが、スロット形状の通路を有する装置を表す上面図。
【図１４】通路がないドーム型の中心部を有する装置を表す上面図。
【図１５】図１４の装置を表す垂直断面図。
【図１６】中心が閉じたプラットホーム、円形通路の環状配列及びプラットホームの周辺側部に複数のスロット形状の通路を有する装置を表す上面図。
【図１７】図１６の装置を表す概略垂直断面図。
【図１８】図１６の装置と似ているが、スロット形状の通路が４つしかない装置を表す上面図。
【図１９】図１８の装置を表す垂直断面図。
【図２０】本発明によるキットの図。
【図２１】本発明によるマーキングツールを備える備品の斜視図。
【発明を実施するための形態】
【００１３】
提供される容器は、液体と粉末／粒状／糊状の材料を混合して作られる、毛髪脱色組成物などの毛髪組成物で使用される時に開口部を確実に詰まりから防ぐと同時に、抑制された分配を可能にするため、有利である。粒子及び塊は、その大きさのために開口部を閉鎖することができるような装置により開口部に届かないように引き止められるが、液体内に分散された、よく混合された粒子は通過し、分配され得る。もし粒子又は塊の直径が通路の最小幅よりも大きいならば、その粒子又は塊はその場所で引き止められる。装置には多くの通路があるため、これらの通路全てが閉鎖することは極めて稀である。通路は、よく分散された粒子を通過させ、開口部から分配するのを可能にするのに十分な大きさである。これは、本容器を毛髪脱色組成物に見られるものなどの化学溶液の取り扱いに適したものにする。通路の直径又は最小幅は約０．５ｍｍ〜５．０ｍｍであり、好ましくは約１．０ｍｍ〜４．０ｍｍであり、より好ましくは約１．２ｍｍ〜３．５ｍｍであり、更により好ましくは約２．０〜３．０ｍｍである。好ましい実施形態において、装置は多くの通路を含み、典型的に約３〜１５０個であり、より好ましくは約５〜１００個であり、更により好ましくは約１０〜７５個であり、最も好ましくは約１０〜４０個である。この装置は、前記多くの通路の少なくとも８０％、好ましくは少なくとも９０％、より好ましくは少なくとも９５％、最も好ましくは少なくとも９９％が、約０．５ｍｍ〜５．０ｍｍ、好ましくは約１．０ｍｍ〜４．０ｍｍ、より好ましくは約１．２ｍｍ〜３．５ｍｍの直径又は最小幅を有する。特に好ましい実施形態では、この装置は１０〜４０個の通路を含み、その９９％が約１．２ｍｍ〜３．５ｍｍの直径又は最小幅を有する。通路は、形及び大きさが同一であっても同一でなくてもよい。好ましくは、通路は実質的に均一の形であり、より好ましくはほぼ円形及び／又は楕円形／スロット形状である。特に好ましい実施形態では、装置は円形及びスロット形状の２種類の通路を含む。通路はまた、ランダムに又はパターン化して分布されてもよい。好ましくは、スロット形状の通路は（あるのであれば）、装置の外辺縁部に分布されている。別の実施形態では、スロット形状の通路が装置の外辺縁部に分布されており、スロット形状の通路により形成された中心領域内に円形の通路が分布されている。装置は通路がない部分を有してもよく、この部分は好ましくは装置のほぼ中心部に位置する。装置自体もどのような形でもよいが、好ましくは実質的に平ら又は直立アーチ形若しくは逆アーチ形である。装置の奥行は好ましくは一定であり、好ましくは約０．１ｍｍ〜１０ｍｍであり、より好ましくは約０．５ｍｍ〜５．０ｍｍであり、最も好ましくは０．５ｍｍ〜２ｍｍである。提示された容器の有利な実施形態は、請求項２〜１０に記載されている。
【００１４】
容器に取り付ける又はねじ留めすることができる注ぎ口（請求項２）は分配装置として好適であり、この注ぎ口は、毛髪用の化粧剤を正確な位置に塗布するのに使用できる。特に、着色剤を毛髪の生え際に塗布することができる。あるいは、毛髪組成物をアプリケータに正確に装填し、これは次いで組成物を毛髪又は選択された数本の毛髪に塗布するのに使用できる。
【００１５】
もし、請求項３と同様に、装置が、容器と分配装置の取り付けリングとの間の接続部で取り付けられているのであれば、装置は効果的に機能し、液体を攪拌して溶解／分散のプロセスを支持する目的で、溶解／分散すべき製品のために及び製品を溶解／分散させる液体のために、容器内に最大限のスペースを提供する。
【００１６】
もし、請求項４により、装置の周辺縁部が分配装置の取り付けリングと容器の首部の上端部との間に固定されているのであれば、装置を容器の前部に設置し、次に分配装置の配置を介して所定位置に固定することによって、装置は容器に容易に挿入することができる。
【００１７】
容器のリザーバは、有利な様式で、毛髪を着色又は漂白するための製品を収集するのに好適である。こうすることによって、製品は、容器内で液体、特に過酸化水素溶液に溶解／分散されるべき粉末、粒状の材料又は糊状の塊の形態で容器内に提供され得る。
【００１８】
請求項５により、装置の好ましくは円形である中心部に通路がない場合、特定の利点が得られる。こうすると、混合を促進するために容器を振盪する間、閉じた中心部は、液体に溶解／分散されるべき粉末、粒状の材料又はクリームから開口部を保護する。理論に縛られることを望まないが、閉じた中心部を設けることによって、振盪プロセス中に、粉末／粒状／糊状の材料が開口部内で詰まるのを防ぐことができると思われる。丸い容器の首部、回転対称の分配装置又は粒子を引き止めるための円形の装置がある場合、装置の閉じた中心部は、確実な様式で開口部を保護することを可能にする。
【００１９】
通路表面を増大させて、成分が混合された後により少ない流出抵抗をもたらすために、既知の様式で、装置に凹部が設けられているならば（請求項６）、有利である。スペースを考慮すると、既知の技術で知られている通り、この凹部がリザーバまで上方に延びると有益である。凹部がリザーバ内に延びすぎないようにするために、請求項７により、凹部が、周辺及び環状接続領域によって装置の縁部に接続されたプラットホームを形成するならば有利である。実験で得られた結果によると、場合によって、特定の直径の円形の通路と、特定の長さ及び幅のスロット形状の通路とが、装置内で凹んでいるならば有益である（請求項８）。スロット形状の通路のみが周辺側部に設けられていると（請求項９）、周辺側部に対してやや平行に移動する小さい粒子は、通路をよりよく通過できる。
【００２０】
リザーバ２は、容器１に製品３を収集するために使用される（図１、図２）。リザーバ２に接続されている分配装置４は、流動性のある薬剤、特に液体８に溶解／分散されるべき粉末又は粒状の製品３を分配するための開口部５を有する。分配装置４と容器１との間の接続部６は、スナップ式カム１５を有するプラグ接続部として設計されている。分配装置４は、容器１に取り付けることができる注ぎ口１４である。
【００２１】
分配装置４に挿入されたプレート型装置７が、過度に大きい粒子及び／又は塊を引き止めるために使用され、その結果、それらは分配装置４の開口部５に届かず、開口部５を詰まらせることができず、それでもよく分散した粒子は通過することができる（図３〜６）。装置７は、取付台９を使用してリザーバ２と分配装置４との間の位置に固定され、塊のない混合製品３が開口部５まで通ることができるようにする多くの通路１０を有する。多くの通路は、約３〜約１５０個、より好ましくは約５〜約１００個、更により好ましくは約１０〜約７５個である。装置７は、容器１と取り付けリング１６との間の接続部６の領域内で分配装置４に取り付けることができる。図３及び図４の代表的な実施形態では、装置７は、縁側面接続領域２３で取り付けリング１６に取り付けられている。図５及び図６の代表的な実施形態では、装置７は、分配装置４がねじ付き接続部２５で容器１にねじ留めされる前に、特にこの目的のために設計された、容器の首部１８に設置されている。分配装置４が所定位置にねじ留めされた後、装置７の周辺接続領域２３が、取り付けリング１６と容器の首部１８の上端部１７との間に固定される。
【００２２】
図７の代表的な実施形態では、円形の装置７の縁側面接続領域２３が分配装置４の取付台９の領域に固定されている。全ての代表的な実施形態で共通しているのは、注ぎ口１４として設計された分配装置４の開口部５を、液体８に溶解／分散されるべき製品３の過度に大きい粒子及び／又は塊から確実に保護しつつ、よく分散された粒子が開口部を通過する（図７）のを可能にするために、通路１０の直径１１又は最小幅１２が開口部５の、直径１３又は最小幅以下である（図８〜１９）ことである。図７の代表的な実施形態では、過酸化物溶液が液体８としてリザーバ２に入っており、そこで過硫酸塩脱色組成物の一部である粒状型製品３が、液体２内に分散されるために添加される。製品３が添加されて間もなく、製品３の一部は残りの製品３より良好に分散される。よく分散されず塊を形成し、開口部５を詰まらせ得る領域は、通路１０を通過できない。したがって、これらの塊は、開口部５を詰まらせることはできない。もし、粉末の製品を混合した後も粉末の塊がよく分散されず、溶液が開口部５を通って分配されるべきであれば、液体８及びよく分散された製品３は、装置７及び開口部５を通過することができ、大きな粒子とこれらの塊のみが装置７で適切に引き止められることによって開口部５が詰まるのを防ぐ。
【００２３】
装置７の中心部１９が通路１０なしに設計された場合（図８〜１１、１４〜１９）、リザーバ２の中心にある粒子の振盪中に開口部５に詰まる可能性が減る。理論に縛られることを望まないが、振盪という行為は、粉末微粒子が注ぎ口１４内で圧密されることにつながり、開口部からの分配を妨げ得る閉鎖を形成すると思われる。中心部１９に通路１０がないように設計された装置７は、注ぎ口１４内で粉末微粒子が圧密される確率を小さくする。装置７の凹部２０は、装置７の表面積を拡大させ、装置７により多くの通路１０の存在を可能にするため、注ぎ口１４から液体８のよりよい分配を可能にする。
【００２４】
装置７の平らな設計（図３、５、７、１２及び１３）とは違い、装置７は、アーチとして設計され、周辺側部２２及び環状接続領域２３を介して装置７の縁部に接続されたプラットホーム（２１）を形成してもよく（図８〜１１、１６〜１９）、又は中心にドームを形成してもよい（図１４及び１５）。このようなアーチ設計又はドーム設計は、開口部５に向けて上方に延びるように、又はより好ましくはリサーバ２に向けて下方に延びるように配向され得る。特定の直径１１の円形通路１０と、特定の長さ２４及び幅１２のスロット形状の通路１０とは、装置７内で凹んでいてもよい。いくつかの代表的な実施形態（図９、１０、１１、及び１６〜１９）では、液体８の改善された分配のために、スロット形状の通路１０のみが、１つの周辺側部２２に設けられて、装置７のより低い流動抵抗をもたらす。一般には、小粒子のみを通過させ、また液体８が分配される、より大きい通路面積を提供するという点で、スロット形状の通路１０が有利である。
【００２５】
本発明の更なる態様によると、販売及び／又は使用の目的のために、毛束効果を作り出すためのキット（２６）を、図２０に表されているようにパッケージ、好ましくは箱（３１）に詰め合わせることができる。図２０に表されている一実施形態では、キット（２６）は本明細書に開示されている容器（１）と、少なくとも１つの製品（３）とを備える。好ましくは、製品（３）は、ヘアトリートメント組成物である。より好ましくは、ヘアトリートメント組成物は、ハイライト用組成物、染色用組成物、パーマ用組成物、スタイリング用組成物及びこれらの組み合わせからなる群から選択される。更により好ましくは、ヘアトリートメント組成物は、ハイライト用組成物、染色用組成物及びこれらの組み合わせからなる群から選択され、更により好ましくは、ヘアトリートメント組成物は、ハイライト用組成物である。ハイライト用組成物は、第一成分と第二成分とを混合することによって調製される。好ましくは、第一成分は容器（１）内に含まれ、第二成分は別に包装される。次いで第二成分が第一成分に加えられて、ヘアトリートメント組成物が形成される。第一成分は、好ましくは第一成分の約３重量％〜約１２重量％の過酸化水素を含む。第二成分は、好ましくは粉末、粒状又は糊状の形態であり、第二成分の約１０重量％〜約６０重量％の、過硫酸ナトリウム、過硫酸カリウム、過硫酸アンモニウム及びこれらの組み合わせからなる群から選択される過硫酸塩を含む。キット（２６）は、所望により、第三成分の約３重量％〜約２５重量％の水性溶媒中のアルカリ化剤を含む第三成分を備える。
【００２６】
本発明の別の実施形態では、ヘアトリートメント組成物は、第一成分の約１．５重量％〜約１２重量％の過酸化水素を含む第一成分と、第二成分の約０．０１重量％〜約６重量％の、直接染料、酸化染料前駆体、酸化染料発色剤及びこれらの組み合わせからなる群から選択される染料を含む第二成分とを混合することによって調製される。
【００２７】
ヘアトリートメント組成物は、既知である、通常に利用されている、又はヘアトリートメント組成物での使用に有効である成分、特に酸化漂白組成物及び染料組成物を更に含んでもよく、それには、顕色剤染料組成物、発色剤染料組成物、直接染料、酸化剤、還元剤、増粘剤、キレート剤、ｐＨ調節剤及び緩衝剤、アルカリ化剤、炭酸イオン源及びラジカルスカベンジャー系、グリシン、アモジメチコン、エチレンジアミン二コハク酸、アニオン性、カチオン性、非イオン性、両性、若しくは双性イオン性の界面活性剤又はこれらの組み合わせ、アニオン性、カチオン性、非イオン性、両性、若しくは双性イオン性のポリマー若しくは疎水変性ポリマー又はこれらの組み合わせ、芳香剤、分散剤、溶媒、ペルオキシド安定剤、キレート剤、保湿剤、タンパク質及びそれらの誘導体、植物原料（例えばアロエエキス、カモミールエキス及びヘンナエキス）、シリコーン（揮発性又は不揮発性、変性又は不変性）膜形成剤、セルロースポリマー及びそれらの誘導体、セラミド、保存料、ゲルネットワーク、変色指示薬及び乳白剤が挙げられるが、これらに限定されない。好適ないくつかの補助剤は、Ｉｎｔｅｒｎａｔｉｏｎａｌ  Ｃｏｓｍｅｔｉｃｓ  Ｉｎｇｒｅｄｉｅｎｔ  Ｄｉｃｔｉｏｎａｒｙ  ａｎｄ  Ｈａｎｄｂｏｏｋ，（8th ed.; The Cosmetics, Toiletry, and Fragrance Association）に列挙されている。具体的には、第２巻、第３節（化学物質分類）及び第４節（作用（Functions））が、特定の目的又は多くの目的を達成する特別な補助剤を特定するのに有用である。代表的であるが包括的ではないポリマー及び増粘剤の一覧は、「Ｔｈｅ  Ｅｎｃｙｃｌｏｐａｅｄｉａ  ｏｆ  Ｐｏｌｙｍｅｒｓ  ａｎｄ  Ｔｈｉｃｋｅｎｅｒｓ  ｆｏｒ  Ｃｏｓｍｅｔｉｃｓ」（南ミシシッピ大学高分子科学部門、ロバート・Ｙ・ロッキード（Robert Y. Lochhead）博士及びウィリアム・Ｒ・フロン（William R. Fron）編纂及び編集）に見出すことができる。
【００２８】
キット（２６）は、ヘアトリートメント組成物を毛髪に塗布するためのアプリケータ（２７）を更に備えることができる。アプリケータ（２７）は、くし型アプリケータ、ブラシ型アプリケータ、棒状アプリケータ、２部品が可動に接合されたアプリケータ及びこれらの組み合わせからなる群から選択される。好ましくは、アプリケータは、図２０に表されているように、２部品が可動に接合されたアプリケータである。
【００２９】
好ましくは、キット（２６）は、毛髪束をマーキングし残りの毛髪から分離するための１つ以上のマーキングツール（２８、２９）を更に含んでもよい。ヘアケアに従来使用されているようなクリップを含む多くの種類のマーキングツール（２８、２９）を使用することができる。好ましくは、マーキングツール（２８、２９）は図２０に表されているように実質的に平らである。
【００３０】
別の実施形態において、キット（２６）は備品（３０）を更に含み、備品（３０）は、毛髪束をマーキングし残りの毛髪から分離するための複数のマーキングツール（２８、２９）を含む。好ましくは、複数のマーキングツール（２８、２９）の各マーキングツールは、図２１に表されているように、備品３０に独立して関連しているが、取り外し可能である。最後に、好ましくは、キット（２６）は説明書（３２）を含む。
【００３１】
１  容器
２  リザーバ
３  製品
４  分配装置
５  開口部
６  接続部
７  装置
８  液体
９  取付台
１０  通路
１１  通路の直径
１２  通路の幅
１３  開口部の直径
１４  注ぎ口
１５  スナップ式カム
１６  取り付けリング
１７  端部
１８  容器首部
１９  中心部
２０  凹部
２１  プラットホーム
２２  周辺側部
２３  接続領域
２４  通路の長さ
２５  ねじ付き接続部
２６  キット
２７  アプリケータ
２８、２９  マーキングツール
３０  備品
３１  箱
３２  説明書
【００３２】
本明細書に開示されている寸法及び値は、列挙した正確な数値に厳しく制限されるものとして理解すべきではない。それよりむしろ、特に指定されない限り、こうした各寸法は、列挙された値とその値周辺の機能的に同等の範囲との両方を意味することを意図する。例えば、「４０ｍｍ」として開示される寸法は、「約４０ｍｍ」を意味するものとする。
【図１】
2011518077.tif 000003
【図２】
2011518077.tif 000004
【図３】
2011518077.tif 000005
【図４】
2011518077.tif 000006
【図５】
2011518077.tif 000007
【図６】
2011518077.tif 000008
【図７】
2011518077.tif 000009
【図８】
2011518077.tif 000010
【図９】
2011518077.tif 000011
【図１０】
2011518077.tif 000012
【図１１】
2011518077.tif 000013
【図１２】
2011518077.tif 000014
【図１３】
2011518077.tif 000015
【図１４】
2011518077.tif 000016
【図１５】
2011518077.tif 000017
【図１６】
2011518077.tif 000018
【図１７】
2011518077.tif 000019
【図１８】
2011518077.tif 000020
【図１９】
2011518077.tif 000021
【図２０】
2011518077.tif 000022
【図２１】
2011518077.tif 000023
【国際調査報告】
2011518077.tif 000024
2011518077.tif 000025
2011518077.tif 000026